(57)【要約】【課題】室内熱交換器に連なる膨張弁を容易に取り外すことにより、室内機を汎用の室外機とも組み合わせて使用できるようにした多室形空気調和機を提供する。【解決手段】並列に接続された容量が夫々異なる複数の圧縮機１ａ〜１ｃと、四方弁２と、室外熱交換器３と、絞り機構４と、室外側ジョイント５ａおよび５ｂとを備えた室外ユニットＡと、室内熱交換器６ａ〜６ｃと、同室内熱交換器６ａ〜６ｃに連なる膨張弁７ａ〜７ｃと、室内側ジョイント８ａ〜８ｆとを備えた複数の室内ユニットＢ１〜Ｂ３と、前記室外側ジョイント５ａ、５ｂおよび前記室内側ジョイント８ａ〜８ｆの間を接続する接続配管９ａおよび９ｂとからなる冷媒回路を構成してなる多室形空気調和機において、前記室内ユニットＢ１〜Ｂ３の膨張弁７ａ〜７ｃが、前記室内熱交換器６ａ〜６ｃの反分流側となる前記接続配管９ｂに設けられるようにした。【選択図】　図１
2004036971.tif 000002
【特許請求の範囲】
【請求項１】
並列に接続された容量が夫々異なる複数の圧縮機と、四方弁と、室外熱交換器と、絞り機構と、室外側ジョイントとを備えた室外ユニットと、室内熱交換器と、同室内熱交換器に連なる膨張弁と、室内側ジョイントとを備えた複数の室内ユニットと、前記室外側ジョイントおよび前記室内側ジョイントの間を接続する接続配管とからなる冷媒回路を構成してなる多室形空気調和機において、
前記室内ユニットの膨張弁が、前記室内熱交換器の反分流側となる前記接続配管に設けられるようにしてなることを特徴とする多室形空気調和機。
【請求項２】
前記膨張弁は、電子膨張弁を個別のユニットとして構成すると共に、前記室内ユニットに着脱可能に取り付けるようにしてなることを特徴とする請求項１に記載の多室形空気調和機。
【発明の詳細な説明】
【０００１】
【発明の属する技術分野】
本発明は、多室形空気調和機に係わり、より詳細には、室内熱交換器に連なる膨張弁を容易に取り外すことにより、室内機を汎用の室外機とも組み合わせて使用できるようにした構造に関する。
【０００２】
【従来の技術】
従来の多室形空気調和機は、例えば図４で示すように、並列に接続された容量が夫々異なる複数の圧縮機１ａ〜１ｃと、四方弁２と、室外熱交換器３と、絞り機構４と、室外側ジョイント５ａおよび５ｂとを備えた室外ユニットＡと、室内熱交換器６ａ〜６ｃと、同室内熱交換器６ａ〜６ｃに連なる膨張弁７ａ〜７ｃと、室内側ジョイント８ａ〜８ｆとを備えた複数の室内ユニットＢ１〜Ｂ３と、前記室外側ジョイント５ａ、５ｂおよび前記室内側ジョイント８ａ〜８ｆの間を接続する接続配管９ａおよび９ｂとからなる冷媒回路を構成していた。
【０００３】
しかしながら、前記室内ユニットＢ１〜Ｂ３は、多室形空気調和機専用の室内ユニットとして構成されていることから、前記膨張弁７ａ〜７ｃは、前記室内ユニットＢ１〜Ｂ３の内部であって前記室内熱交換器６ａ〜６ｃの近傍に設けられているため容易に取り外しできない構造となっており、多室形以外の汎用の室外ユニットと組み合わせて使用することができず不便であった。
【０００４】
このため、前記膨張弁７ａ〜７ｃを容易に着脱できるようにして、前記室内ユニットＢ１〜Ｂ３を、多室形以外の汎用の室外ユニットとも組み合わせて使用できるようにすることが望まれていた。
【０００５】
【発明が解決しようとする課題】
本発明においては、上記の問題点に鑑み、室内熱交換器に連なる膨張弁を容易に取り外すことにより、室内機を汎用の室外機とも組み合わせて使用できるようにした多室形空気調和機を提供することを目的とする。
【０００６】
【課題を解決するための手段】
本発明は、上記課題を解決するため、並列に接続された容量が夫々異なる複数の圧縮機と、四方弁と、室外熱交換器と、絞り機構と、室外側ジョイントとを備えた室外ユニットと、室内熱交換器と、同室内熱交換器に連なる膨張弁と、室内側ジョイントとを備えた複数の室内ユニットと、前記室外側ジョイントおよび前記室内側ジョイントの間を接続する接続配管とからなる冷媒回路を構成してなる多室形空気調和機において、
前記室内ユニットの膨張弁が、前記室内熱交換器の反分流側となる前記接続配管に設けられるようにした構成となっている。
【０００７】
また、前記膨張弁は、電子膨張弁を個別のユニットとして構成すると共に、前記室内ユニットに着脱可能に取り付けるようにした構成となっている。
【０００８】
【発明の実施の形態】
以下、本発明の実施の形態を図面に基づいた実施例として詳細に説明する。
図１は本発明による多室形空気調和機の冷媒回路図であり、図２は本発明による空気調和機の断面図であり、図３は本発明による空気調和機の説明図で、（Ａ）は要部斜視図、（Ｂ）は要部分解斜視図である。
【０００９】
本発明による多室形空気調和機は、図１で示すように、並列に接続された容量が夫々異なる複数の圧縮機１ａ〜１ｃと、四方弁２と、室外熱交換器３と、絞り機構４と、室外側ジョイント５ａおよび５ｂとを備えた室外ユニットＡと、室内熱交換器６ａ〜６ｃと、同室内熱交換器６ａ〜６ｃに連なる膨張弁７ａ〜７ｃと、室内側ジョイント８ａ〜８ｆとを備えた複数の室内ユニットＢ１〜Ｂ３と、前記室外側ジョイント５ａ、５ｂおよび前記室内側ジョイント８ａ〜８ｆの間を接続する接続配管９ａおよび９ｂとからなる冷媒回路を構成して、冷房運転時には、実線の矢印で示すような冷媒回路を形成する一方、暖房運転時には、破線の矢印で示すような冷媒回路を形成するようになっている。
【００１０】
上記構成により、例えば前記室内ユニットＢ１は、図２で示すように、前面側を開放したベースａの前部に、吸込口ｄを備えた上面部ｂと、吹出口ｅを備えた下面部ｃとからなる前面パネルを装着すると共に、前記吸込口ｄと前記吹出口ｅとを結ぶ空気通路に前記室内熱交換器６ａと送風ファンｆとを設けてなり、前記吸込口ｄから吸い込まれた吸込空気が、前記室内熱交換器６ａによって熱交換されたのち前記吹出口ｅに送出されるようになっている。
【００１１】
ところで本発明は、前記室内ユニットＢ１〜Ｂ３が多室形空気調和機用の室内ユニットとして使用できるだけでなく、汎用の室外機とも組み合わせて使用できるようにすることを目的としている。
【００１２】
そこで、前記室内ユニットＢ１〜Ｂ３の膨張弁７ａ〜７ｃは、図１で示すように、前記室内熱交換器６ａ〜６ｃの反分流側となる前記接続配管９ｂに設けられた構成となっており、前記室内熱交換器６ａ〜６ｂの近傍から移動させて、前記室内ユニットＢ１〜Ｂ３を構成する前記前面パネルを取り外すことにより外部から容易に取り外しできるようにしている。
【００１３】
すなわち、前記室内ユニットＢ１〜Ｂ３の膨張弁７ａ〜７ｃを、例えば図３（Ａ）および図３（Ｂ）で示すように、電子膨張弁モジュールＣとして個別のユニットでなる構成にすると共に、同電子膨張弁モジュールＣを、前記室内ユニットＢ１を構成する前記ベースａの側部にねじ止めにより着脱可能に取り付けることができるようになっている。
【００１４】
以上の構成により、次にその動作について説明する。
前記室内ユニットＢ１〜Ｂ３を、多室形空気調和機用の室内ユニットとして使用する際、図３（Ｂ）で示すように、前記電子膨張弁モジュールＣを、前記前面パネルを取り外した状態で前記ベースａの側部に着脱可能に取り付ける。
【００１５】
これにより、前記電子膨張弁モジュールＣとして構成された前記膨張弁７ａ〜７ｃが、図１で示す冷媒回路においては、前記室内ユニットＢ１〜Ｂ３の外部の前記接続配管９ｂに設けられた構成となり着脱の作業性が良好となる。
【００１６】
したがって、前記室内ユニットＢ１〜Ｂ３を、多室形空気調和機用ではなく、汎用の室外機と組み合わせた状態で使用する際、前記前面パネルを取り外した状態で前記電子膨張弁モジュールＣを容易に取り外して対応できるので、在庫管理がしやすくなり、また、組立部品のストックおよびデリバリーの問題をなくしてコスト的に有利になる。
【００１７】
【発明の効果】
以上説明したように、本発明によれば、室内熱交換器に連なる膨張弁を容易に取り外すことにより、室内機を汎用の室外機とも組み合わせて使用できるようにした多室形空気調和機となる。
【図面の簡単な説明】
【図１】本発明による多室形空気調和機の冷媒回路図である。
【図２】本発明による空気調和機の断面図である。
【図３】本発明による空気調和機の説明図で、（Ａ）は要部斜視図であり、（Ｂ）は要部分解斜視図である。
【図４】従来例による多室形空気調和機の冷媒回路図である。
【符号の説明】
１　圧縮機
２　四方弁
３　室外熱交換器
４　絞り機構
５ａ，５ｂ　室外側ジョイント
６ａ〜６ｃ　室内熱交換器
７ａ〜７ｃ　膨張弁
８ａ〜８ｆ　室内側ジョイント
９ａ，９ｂ　接続配管
Ａ　室外ユニット
Ｂ１〜Ｂ３　室内ユニット
Ｃ　電子膨張弁モジュール
ａ　ベース
ｂ　前面パネルの上面部
ｃ　前面パネルの下面部
ｄ　吸込口
ｅ　吹出口
ｆ　送風ファン
【図１】
2004036971.tif 000003
【図２】
2004036971.tif 000004
【図３】
2004036971.tif 000005
【図４】
2004036971.tif 000006